(57)【特許請求の範囲】
【請求項１】
表示パネルへ光を照射するバックライトの発光量を映像の輝度に応じて制御し、前記バックライトの発光量に応じて輝度を補正した前記映像を前記表示パネルに表示させる表示制御装置であって、
複数の制御パラメータをそれぞれ映像の映像ソースの種別を示すソース種別に対応づけて記憶する記憶部と、
前記表示パネルに表示させる映像の映像ソースの種別を示すソース種別に応じた制御パラメータを前記記憶部から読み出し、当該読み出した制御パラメータによって、前記映像の輝度に応じた前記バックライトの発光量を決定する決定部と
を備え、
前記映像ソースの種別は、
カメラ映像、ＤＶＤ映像およびＴＶ映像のうち少なくともいずれか１つの映像のソースと、ナビゲーション用映像のソースであり、
前記複数の制御パラメータのうち、前記ナビゲーション用映像のソースに応じた制御パラメータは、前記バックライトの発光量が最も少なくなるように設定される
ことを特徴とする表示制御装置。  
【請求項２】
前記決定部は、
前記ソース種別が特定の種別である場合に、前記映像の輝度に応じた前記バックライトの発光量の決定を停止する
ことを特徴とする請求項１に記載の表示制御装置。  
【請求項３】
前記決定部は、
昼と夜とを区別する昼夜情報を取得する取得手段を備え、
前記ソース種別および前記取得手段によって取得した昼夜情報に応じた制御パラメータによって、昼の場合と夜の場合とで前記映像ソースの種別毎に前記バックライトの発光量が変わるように前記映像の輝度に応じた前記バックライトの発光量を決定する
ことを特徴とする請求項１又は２に記載の表示制御装置。  
【請求項４】
前記制御パラメータは、
第１パラメータおよび第２パラメータを含み、
前記決定部は、
前記映像を構成する画素を輝度値の高いものから順に計数し、当該計数した画素の累積数が前記第１パラメータの値に達した場合の輝度値に基づいて前記バックライトの暫定的な発光量を決定する暫定発光量決定手段と、
前記暫定発光量決定手段によって決定された暫定的な発光量と前記第２パラメータの値とを比較する比較手段と、
前記比較手段による比較の結果、前記暫定的な発光量が前記第２パラメータの値を超える場合に、前記暫定的な発光量よりも少ない発光量を前記バックライトの確定的な発光量として決定する確定発光量決定手段と
を備えたことを特徴とする請求項１〜３のいずれか１項に記載の表示制御装置。  
【請求項５】
表示パネルへ光を照射するバックライトの発光量を映像の輝度に応じて制御し、前記バックライトの発光量に応じて輝度を補正した前記映像を前記表示パネルに表示させる表示制御方法であって、
複数の制御パラメータをそれぞれ映像の映像ソースの種別を示すソース種別に対応づけて記憶する記憶部から、前記表示パネルに表示させる映像の映像ソースの種別を示すソース種別に応じた制御パラメータを読み出す工程と、
当該読み出した制御パラメータによって、前記映像の輝度に応じた前記バックライトの発光量を決定する工程と
を含み、
前記映像ソースの種別は、
カメラ映像、ＤＶＤ映像およびＴＶ映像のうち少なくともいずれか１つの映像のソースと、ナビゲーション用映像のソースであり、
前記複数の制御パラメータのうち、前記ナビゲーション用映像のソースに応じた制御パラメータは、前記バックライトの発光量が最も少なくなるように設定される
ことを特徴とする表示制御方法。
【発明の詳細な説明】
【技術分野】
【０００１】
本発明は、表示制御装置および表示制御方法に関する。
【背景技術】
【０００２】
近年、カーナビゲーションの普及に伴い、自動車には液晶表示パネルを有する車載装置が搭載されることが一般的となってきている。
【０００３】
液晶表示パネルは、バックライトから照射された光を部分的に遮ったり透過させたりすることによって映像の表示を行っているが、バックライトによる消費電力の高さが省電力化の妨げとなっている。
【０００４】
そこで、近年では、バックライトによる消費電力を削減するための様々な試みがなされている。例えば、特許文献１には、映像の輝度に応じてバックライトの発光量を制御することで、バックライトによる消費電力を削減する技術が開示されている。
【０００５】
特許文献１に記載の技術では、映像に含まれる画素の輝度分布を作成し、この輝度分布を用いて高輝度側から累積画素数を計数していき所定の画素数に達した位置の輝度値に基づき、映像の輝度を上げると共にバックライトの発光量を低減する。これにより、バックライトによる消費電力を削減している。
【先行技術文献】
【特許文献】
【０００６】
【特許文献１】特開２００７−２１９４７７号公報
【発明の概要】
【発明が解決しようとする課題】
【０００７】
しかしながら、例えば、カーナビゲーションなどの車載装置では、映像を構成する画素の輝度や色などの分布が異なる傾向の映像が表示装置へ選択的に表示される。例えば、ＤＶＤ（Digital  Versatile  Disc）などに記録されている映画などの映像と、ナビゲーション用映像とでは、画素の輝度や色などの分布傾向が異なる。
【０００８】
そのため、例えば、ＤＶＤの映像に対してバックライトの消費電力を効果的に削減しようとすると、ナビゲーション用映像に対してバックライトの消費電力を効果的に削減できない恐れがあった。
【０００９】
本発明は、上記に鑑みてなされたものであって、バックライトの消費電力を適切に削減することができる表示制御装置および表示制御方法を提供することを目的とする。
【課題を解決するための手段】
【００１０】
上述した課題を解決し、目的を達成するために、本発明に係る表示制御装置は、表示パネルへ光を照射するバックライトの発光量を映像の輝度に応じて制御し、前記バックライトの発光量に応じて輝度を補正した前記映像を前記表示パネルに表示させる表示制御装置であって、複数の制御パラメータをそれぞれ映像の種別に対応づけて記憶する記憶部と、前記表示パネルに表示させる映像の種別に応じた制御パラメータを前記記憶部から読み出し、当該読み出した制御パラメータによって、前記映像の輝度に応じた前記バックライトの発光量を決定する決定部とを備えることを特徴とする。
【００１１】
また、本発明の表示制御方法は、表示パネルへ光を照射するバックライトの発光量を映像の輝度に応じて制御し、前記バックライトの発光量に応じて輝度を補正した前記映像を前記表示パネルに表示させる表示制御方法であって、複数の制御パラメータをそれぞれ映像の種別に対応づけて記憶する記憶部から、前記表示パネルに表示させる映像の種別に応じた制御パラメータを読み出す工程と、当該読み出した制御パラメータによって、前記映像の輝度に応じた前記バックライトの発光量を決定する工程とを含んだことを特徴とする。
【発明の効果】
【００１２】
本発明によれば、種別に応じた制御パラメータによって、映像の輝度に応じたバックライトの発光量を決定するようにしたので、種別に応じてバックライトの消費電力を適切に削減することができる。
【図面の簡単な説明】
【００１３】
【図１】図１は、本発明に係る実施形態の表示制御手法の概要を示す図である。
【図２】図２は、実施例に係る表示制御装置を含む表示システムの構成を示す図である。
【図３】図３は、実施例に係る表示制御装置の構成を示すブロック図である。
【図４】図４は、制御パラメータテーブルの一例を示す図である。
【図５】図５は、制御パラメータの適用タイミングを示す図である。
【図６】図６は、実施例に係る発光量決定部の構成を示すブロック図である。
【図７】図７は、発光量決定部の動作例を示す図である。
【図８】図８は、ＲＧＢ変換情報の一例を示す図である。
【図９】図９は、実施例に係る表示制御装置の処理手順を示すフローチャートである。
【発明を実施するための形態】
【００１４】
以下に添付図面を参照して、本発明の実施形態に係る表示制御装置および表示制御方法の実施例を詳細に説明する。
【００１５】
まず、実施例の詳細な説明に先立って、本発明の実施形態に係る表示制御手法の概要について説明する。図１は、本発明の実施形態に係る表示制御手法の概要を示す図である。
【００１６】
本実施形態に係る表示制御手法は、映像ソースから取得した映像の情報およびソース種別に基づいてバックライトの発光量および映像の輝度補正量を制御するものである。なお、以下においては、映像の種別を、映像のソース種別によって判定する例を示すが、他の方法によって映像の種別を判定してもよい。
【００１７】
かかる表示制御手法においては、図１に示すように、表示制御装置の制御部が、表示装置に表示させようとする映像のソース種別を示す情報（以下、「ソース種別情報」と記載する）を取得する（ステップＳ１）。
【００１８】
ここで、映像のソース種別とは、表示装置に表示させようとする映像の情報（以下、「映像情報」と記載する）を発生する映像ソースの種別である。図１に示す例では、映像情報を発生する映像ソースの種別が「ソース種別１」であることを示している。
【００１９】
表示装置が車載用の表示装置である場合、映像ソースとして、例えば、ＤＶＤ（Digital  Versatile  Disc）、ナビゲーション用映像ソース、ＴＶ（Television）、カメラがある。そして、例えば、ＤＶＤのソース種別が上記「ソース種別１」、ナビゲーション用映像ソースのソース種別が「ソース種別２」、ＴＶのソース種別が「ソース種別３」、カメラのソース種別が「ソース種別４」というように割り当てられる。
【００２０】
なお、ソース種別情報は、映像ソースから取得することとしているが、ソース種別情報の取得先はこれに限られない。例えば、複数のソースからの映像情報を入力し、これらの映像情報の中から選択した映像情報を表示制御装置へ出力する映像出力装置がある場合、表示制御装置の制御部は、この映像出力装置から映像のソース種別を取得するようにしてもよい。また、ここでは、映像の種別を、映像のソース種別によって判定しているため、映像処理回路などが必要なく、映像の種別を容易に判定することができる。
【００２１】
次に、表示制御装置の制御部は、ステップＳ１において取得したソース種別情報に基づき、映像のソース種別に応じた制御パラメータを取得する（ステップＳ２）。表示制御装置の記憶部には、映像のソース種別に応じた複数の制御パラメータが記憶されており、表示制御装置の制御部は、ステップＳ１において取得したソース種別情報に応じた制御パラメータを記憶部から読み出すことによって、映像のソース種別に応じた制御パラメータを取得する。
【００２２】
ステップＳ１において取得したソース種別情報は、「ソース種別１」を示す情報であるため、表示制御装置の制御部は、「ソース種別１」に応じた制御パラメータを記憶部から取得する。
【００２３】
次に、表示制御装置の制御部は、映像ソースから映像情報を取得する（ステップＳ３）。そして、表示制御装置の制御部は、ステップＳ２で読み出した制御パラメータを用いて、バックライトの発光量を決定し、映像の輝度を補正する（ステップＳ４）。
【００２４】
具体的には、表示制御装置の制御部は、映像情報を構成する画素の輝度に基づいて、映像の輝度を判定する。そして、制御部は、映像の輝度に応じたバックライトの発光量を、ステップＳ２で読み出した「ソース種別１」の制御パラメータを用いて決定する。
【００２５】
「ソース種別１」の映像ソースは、ＤＶＤであり、ＤＶＤから取得される映像情報は、映画などの映像の情報である。かかる映像は、比較的複雑な映像が多く、画素の輝度や色などの分布が複雑な場合が多い。しかし、このような映像に対し、バックライトの発光量として小さい値が決定されて、映像の輝度を大きく上げる補正が行われた場合、高輝度画素によって表示される部分に色つぶれ現象（以下、「ハレーション」と記載する）が生じ、視認性が低下する恐れがある。
【００２６】
そこで、表示制御装置の制御部は、映像ソースをＤＶＤとする映像に対しては、バックライトの発光量として大きな値が決定される「ソース種別１」の制御パラメータを記憶部から取得し、「ソース種別１」の制御パラメータによってバックライトの発光量を決定する。
【００２７】
一方で、映像ソースをナビゲーション用映像ソースとする映像は、地図映像などのように、画素の輝度や色などの分布が単純な映像であるため、高輝度画素が増加した場合であっても、ハレーションの問題が発生しにくい。
【００２８】
すなわち、映像ソースをナビゲーション用映像ソースとする映像は、同一色および同一輝度の画素が隣接する領域が多く、領域間の色の差も大きいため、領域間の境界の区別が明瞭である。そのため、高輝度画素が増加した場合であっても、ハレーションの問題が発生しにくい。
【００２９】
そこで、表示制御装置の制御部は、映像ソースをナビゲーション用映像ソースとする映像に対しては、バックライトの発光量として小さい値が決定される「ソース種別２」の制御パラメータを記憶部から取得し、「ソース種別２」の制御パラメータによってバックライトの発光量を決定する。
【００３０】
したがって、ナビゲーション用映像ソースを映像ソースとする映像に対して適切にバックライトの発光量および輝度補正を行うことができる。
【００３１】
なお、制御パラメータは、映像の輝度とバックライトの発光量とを対応付けるパラメータである。例えば、映像の輝度毎に、バックライトの発光量を映像の輝度へ対応付けたテーブルを制御パラメータとしたり、映像の輝度を判定するためのパラメータを制御パラメータとしたりすることができる。
【００３２】
次に、表示制御装置の制御部は、ステップＳ４で決定したバックライトの発光量で表示装置のバックライトを発光させ（ステップＳ５）、また、決定したバックライトの発光量に応じて輝度を補正した映像の情報を表示パネルに出力する（ステップＳ６）。
【００３３】
このように、本実施形態の表示制御手法では、映像のソース種別に応じた制御パラメータによって、バックライトの発光量の決定および映像の輝度補正を行うため、バックライトの消費電力を適切に削減することができる。
【００３４】
以下では、図１を用いて説明した表示制御手法を適用した表示制御装置についての実施例を詳細に説明する。なお、以下に示す実施例では、車載用の表示装置を制御する表示制御装置に対して本表示制御手法を適用する場合について説明する。ただし、本発明にかかる表示制御装置は、これに限ったものではなく、携帯端末装置やＰＣ（Personal Computer）あるいはＴＶのように、バックライトを用いて表示を行う表示装置を備える各種の装置に対して適用することができる。
【実施例】
【００３５】
図２は、本実施例に係る表示制御装置を含む表示システムの構成を示す図である。図２に示すように、本実施例に係る表示制御装置１０は、映像情報出力装置３０から映像情報を取得し、表示装置２０の表示制御を行う装置である。なお、映像情報出力装置３０から出力される映像情報は、例えば、ＲＧＢ４４４形式の映像情報である。
【００３６】
表示装置２０は、表示パネル２１と、バックライト２２とを備えている。表示パネル２１は、表示制御装置１０から出力される映像情報に応じた映像を表示する液晶表示パネルなどの表示部である。また、バックライト２２は、表示パネル２１の背面側に設けられた照明装置であり、表示パネル２１に対して背面側から光を照射する。 
【００３７】
映像情報出力装置３０は、映像情報を表示制御装置１０へ出力する。表示制御装置１０へ出力される映像情報は、ソース選択部３１によって選択される。すなわち、ソース選択部３１は、セレクタ３２を制御して、複数の映像ソースの中から一つの映像ソースを選択し、選択した映像ソースから出力される映像情報を表示制御装置１０へ出力する。映像情報出力装置３０には、図示しない操作部が設けられており、この操作部へのユーザの操作によってソース選択部３１が映像ソースを選択する。
【００３８】
ここでは、映像ソースとして、ナビ映像（昼）のソース、ナビ映像（夜）のソース、ＤＶＤ映像のソース、カメラ映像のソース、ＴＶ映像のソースがある。ナビ映像（昼）は、昼用のナビゲーション用映像であり、ナビ映像（夜）は、夜用のナビゲーション用映像である。これらのナビゲーション用映像の情報は、カーナビゲーション装置から出力される。
【００３９】
また、ＤＶＤ映像は、ＤＶＤに記憶された映画などの映像であり、このＤＶＤ映像の情報は、ＤＶＤ再生装置から出力される。カメラ映像は、車両周辺を撮像する車載カメラの映像であり、ＴＶ映像は、デジタルテレビ放送受信装置から出力されるＴＶ（Television）の映像である。
【００４０】
また、ソース選択部３１は、選択した映像ソースの種別情報であるソース種別情報を表示制御装置１０へ出力する。例えば、ソース選択部３１は、ナビ映像（昼）のソースを選択した場合、ソース種別がナビ映像（昼）のソースであることを示すソース種別情報を表示制御装置１０へ出力する。なお、ソース選択部３１は、昼夜判別部３３によって昼と判定した場合、ナビ映像（昼）を選択し、昼夜判別部３３によって夜と判定した場合、ナビ映像（夜）を選択する。
【００４１】
また、映像情報出力装置３０は、現在の時間帯が昼であるか夜であるかを判別し、昼と夜とを区別する昼夜情報を表示制御装置１０へ出力する昼夜判別部３３を備えている。この昼夜判別部３３は、例えば、図示しない照度センサから出力される照度値が所定以上の照度値である場合、現在の時間帯が昼であると判定し、照度値が所定未満の照度値である場合、現在の時間帯が夜であると判定する。なお、昼夜判別部３３には、ヘッドライトなどの前照灯が点灯状態である場合、照度値が所定以上の照度値であっても、現在の時間帯が夜であると判定することもできる。
【００４２】
また、昼夜判別部３３は、図示しない前照灯スイッチにより前照灯が点灯状態である場合、現在の時間帯が夜であると判定し、前照灯が消灯状態である場合、現在の時間帯が昼であると判定してもよい。この場合、短いトンネルや濃霧等周囲が比較的明るいが対向車に自車を気付かせたり、ドライバーの視認性を確保したい場所を走行しているときに、スモールライトを点灯させる場合がある。すると前照灯スイッチのオンにより昼夜判別部３３が夜と判定し、例えばナビ映像であればナビ映像（昼）からナビ映像（夜）に切り替わってしまう。周囲が明るい場合は、前照灯スイッチがオンしても、ナビ映像（夜）に切り換えず、ナビ映像（昼）を維持するようにしておくことが望ましい場合もある。そのためには、車両周囲の照度値や時間によっても昼か夜かを判定し、昼と判定しているときは、前照灯が点灯状態になっても昼と判定するようにし、ナビ映像（夜）への切り換えを禁止するようにすればよい。
【００４３】
つづいて、本実施例に係る表示制御装置１０の構成について説明する。図３は、本実施例に係る表示制御装置１０の構成を示すブロック図である。なお、図３には、表示制御装置１０の特徴を説明するために必要な構成要素のみを示しており、一般的な構成要素についての記載を省略している。また、この表示制御装置１０は、例えば、ＡＳＩＣ（Application Specific Integrated Circuit）などによって構成することができる。
【００４４】
本実施例に係る表示制御装置１０は、制御部１１と、記憶部１２とを備えている。また、制御部１１は、映像情報取得部１１ａと、ソース種別情報取得部１１ｂ、昼夜情報取得部１１ｃ、サブサンプリング部１１ｄと、ヒストグラム生成部１１ｅと、発光量決定部１１ｆと、発光量規制部１１ｇと、ＰＷＭ（Pulse Width Modulation）生成部１１ｈと、ＲＧＢ変換部１１ｉとを備えている。また、記憶部１２は、制御パラメータテーブル１２ａと、ＲＧＢ変換情報１２ｂとを記憶している。 
【００４５】
制御部１１は、映像情報出力装置３０からの映像情報の取得、取得した映像情報のサブサンプリング、ヒストグラムの生成および解析、発光量の規制処理、ＰＷＭの生成あるいはＲＧＢ変換処理といった処理を実行する処理部である。映像情報取得部１１ａは、映像情報を映像情報出力装置３０から取得する処理部である。また、映像情報取得部１１ａは、取得した映像情報をサブサンプリング部１１ｄおよびＲＧＢ変換部１１ｉへ渡す処理も併せて行う。 
【００４６】
ソース種別情報取得部１１ｂは、ソース種別情報を映像情報出力装置３０から取得する処理部であり、取得したソース種別情報を発光量決定部１１ｆへ渡す処理も併せて行う。また、昼夜情報取得部１１ｃは、昼夜情報を映像情報出力装置３０から取得する処理部であり、取得した昼夜情報を発光量決定部１１ｆへ渡す処理も併せて行う。
【００４７】
サブサンプリング部１１ｄは、映像情報取得部１１ａから映像情報を取得した場合に、取得した映像情報に対してサブサンプリングを行う処理部である。また、サブサンプリング部１１ｄは、サブサンプリング後の映像情報をヒストグラム生成部１１ｅへ渡す処理も併せて行う。 
【００４８】
ここで、サブサンプリングとは、取得した映像情報から画素を間引く処理を示す。このように、取得した映像情報に対してサブサンプリングを行うことによって、後述するヒストグラム生成部１１ｅや発光量決定部１１ｆといった処理部の処理速度を高めることができる。 
【００４９】
ヒストグラム生成部１１ｅは、サブサンプリング部１１ｄから取得したサブサンプリング後の映像情報を用いてヒストグラムを生成する処理部である。ヒストグラムとは、映像情報を構成する画素の輝度分布をあらわす情報である。ヒストグラム生成部１１ｅは、映像情報に含まれるＲ，Ｇ，Ｂの各成分うち、最も値の大きい成分を用いてヒストグラムを生成する。また、ヒストグラム生成部１１ｅは、生成したヒストグラムを発光量決定部１１ｆへ渡す処理も併せて行う。 
【００５０】
発光量決定部１１ｆは、ヒストグラム生成部１１ｅによって生成されたヒストグラムを、制御パラメータを用いて解析することによって、バックライト２２の確定発光量を決定する処理部である。 
【００５１】
発光量決定部１１ｆは、ソース種別情報取得部１１ｂからソース種別情報を取得すると共に、昼夜情報取得部１１ｃから昼夜情報を取得し、これらの情報に応じた制御パラメータを、記憶部１２に記憶している制御パラメータテーブル１２ａから読み出す。そして、読み出した制御パラメータを用いて、ヒストグラム生成部１１ｅによって生成されたヒストグラムを解析する。ここで、制御パラメータテーブル１２ａの内容について説明する。図４は、制御パラメータテーブル１２ａの一例を示す図である。
【００５２】
図４に示すように、制御パラメータテーブル１２ａは、ＤＮＵＭ、ＨオフセットおよびＬオフセットなどの制御パラメータを、各パターン１〜４に対応付けた情報である。パターン１からパターン４へ向かうに従って、消費電力の削減量を優先する割合が高くなる。
【００５３】
すなわち、パターン１の制御パラメータが最も映像の画質を優先する制御パラメータであり、パターン４の制御パラメータが最も消費電力の削減量を優先する制御パラメータである。パターン２の制御パラメータは、パターン１よりも消費電力の削減量を優先する制御パラメータであり、パターン３の制御パラメータは、パターン２よりも消費電力の削減量を優先する制御パラメータである。
【００５４】
ここで、パターン１は、ソース映像がＤＶＤ映像、ＴＶ映像又はカメラ映像であって、かつ昼夜情報が昼を示す情報であるときに選択されるパターンである。また、パターン２は、ソース映像がＤＶＤ映像又はＴＶ映像であって、かつ昼夜情報が夜を示す情報であるときに選択されるパターンである。
【００５５】
また、パターン３は、ソース映像がナビ映像であって、かつ昼夜情報が昼を示す情報であるときに選択されるパターン、パターン４は、ナビ映像であって、かつ昼夜情報が夜を示す情報であるときに選択されるパターンである。なお、各制御パラメータ（ＤＮＵＭ、Ｈオフセット、Ｌオフセット）については、後で詳述する。
【００５６】
ＤＶＤ映像、ＴＶ映像およびカメラ映像は、比較的複雑な映像が多く、画素の輝度や色などの分布が複雑な場合が多い映像であることから、ハレーションによる視認性低下を回避するために、画質を優先する度合いが高いパターン１やパターン２が割り当てられる。
【００５７】
一方、ナビ映像は、画素の輝度や色などの分布が単純な映像であるため、高輝度画素が増加した場合であっても、ハレーションの問題が発生しにくく、よって、消費電力の削減を優先する度合いが高いパターン３やパターン４が割り当てられる。
【００５８】
また、ＤＶＤ映像、ＴＶ映像およびカメラ映像は、映像情報出力装置３０において、昼の場合よりも夜の場合の方が暗くなるように制御されて出力される。そのため、昼か夜の違いによってパターンを変更するようにしている。例えば、ＤＶＤ映像やＴＶ映像の場合、昼であればパターン１が選択され、夜であればパターン２が選択される。また、ナビ映像の場合、昼であればパターン３が選択され、夜であればパターン４が選択される。
【００５９】
なお、ここでは、昼の場合におけるＤＶＤ映像、ＴＶ映像およびカメラ映像に対して、同一パターンが割り当てられ、夜の場合におけるＤＶＤ映像およびＴＶ映像に対して、同一パターンが割り当てられているが、各映像に対してそれぞれ異なるパターンを割り当てるようにしてもよい。
【００６０】
このように、記憶部１２には、複数の制御パラメータをそれぞれ映像のソース種別および昼夜情報に対応づけた制御パラメータテーブル１２ａが記憶されており、発光量決定部１１ｆは、映像のソース種別や昼夜情報に応じた制御パラメータを選択する。
【００６１】
なお、図４に示す例では、ソース種別情報および昼夜情報に応じたパターンを選択し、選択したパターンに対応する制御パラメータを用いることにしたが、制御パラメータテーブル１２ａは、これに限られるものではない。
【００６２】
例えば、複数の制御パラメータをそれぞれソース種別に対応付けた制御パラメータテーブルを昼用と夜用とで２つ設けるようにしてもよい。この場合、昼夜情報によって複数の制御パラメータテーブルのいずれかを選択し、選択した制御パラメータテーブルからソース種別情報に基づいて制御パラメータを選択する。
【００６３】
また、昼と夜のうち一方だけソース種別に応じた制御パラメータを選択するようにしてもよい。この場合、例えば、夜は、ソース種別に関わらず同一の制御パラメータを用い、昼は、ソース種別に応じた制御パラメータを制御パラメータテーブルから選択する。
【００６４】
また、昼と夜とに分けるのではなく、照度センサから出力される照度値に応じて、制御パラメータを変更するようにしてもよい。この場合、例えば、制御パラメータテーブルを所定範囲の照度値毎に記憶部１２に記憶しておき、照度センサから出力される照度値に応じて、制御パラメータテーブルを選択する。そして、選択した制御パラメータテーブルからソース種別に応じた制御パラメータを選択する。
【００６５】
図３に戻り、制御部１１の説明を続ける。発光量決定部１１ｆは、選択した制御パラメータをヒストグラム解析に適用するタイミングをＶＳＹＮＣ（Vertical Synchronizing signal：垂直同期信号）に同期させるようにしている。ＶＳＹＮＣは、表示制御装置１０から表示装置２０へ出力する映像情報に含まれる信号である。
【００６６】
ここで、映像情報取得部１１ａへ入力される映像（以下、「入力映像」と記載する）、表示装置２０へ出力するＶＳＹＮＣ、および適用される制御パラメータのタイミング関係について説明する。図５は、制御パラメータの適用タイミングを示す図である。
【００６７】
図５に示す例では、映像情報取得部１１ａに映像情報として入力される入力映像が、カメラ映像からナビ映像（昼）に切り替わる。発光量決定部１１ｆは、入力映像が、カメラ映像からナビ映像（昼）へ切り替わったことを検出すると、ナビ映像（昼）に対応するパターン３の制御パラメータを制御パラメータテーブル１２ａの中から選択する。
【００６８】
その後、発光量決定部１１ｆは、次のＶＳＹＮＣが出現するタイミングで、パターン３の制御パラメータをヒストグラム解析に適用する。このようにすることで、切り替わる入力映像に対する制御パラメータの適用タイミングを適切に設定することができる。すなわち、フレームの切り替わりに合わせて制御パラメータを適用することができる。
【００６９】
ここで、発光量決定部１１ｆの具体的な構成について説明する。図６は、本実施例に係る発光量決定部１１ｆの構成を示すブロック図である。図６に示すように、発光量決定部１１ｆは、暫定発光量決定部１１１と、比較部１１２と、確定発光量決定部１１３とを備えている。 
【００７０】
暫定発光量決定部１１１は、ヒストグラム生成部１１ｅから取得したヒストグラムとＤＮＵＭとを用いて暫定発光量を決定する処理部である。ＤＮＵＭは、累積画素数の閾値を示す制御パラメータである。 
【００７１】
具体的には、暫定発光量決定部１１１は、ヒストグラムの高輝度側から順に画素数を計数していき、累積画素数がＤＮＵＭを超えた場合におけるヒストグラム上の位置（輝度値）に対応する発光量を暫定発光量として決定する。また、暫定発光量決定部１１１は、暫定発光量を決定すると、決定した暫定発光量を比較部１１２へ渡す処理も併せて行う。 
【００７２】
比較部１１２は、暫定発光量決定部１１１によって決定された暫定発光量と記憶部１２に記憶されたＨオフセットおよびＬオフセットとを比較する処理部である。また、比較部１１２は、暫定発光量とＨオフセットおよびＬオフセットとの比較結果を確定発光量決定部１１３へ渡す処理も併せて行う。Ｈオフセットは、バックライト２２の発光量の上限値を示す制御パラメータであり、Ｌオフセットは、バックライト２２の発光量の下限値を示す制御パラメータである。
【００７３】
ここで、かかる発光量決定部１１ｆの動作例について説明する。図７は、発光量決定部１１ｆの動作例を示す図である。なお、図７の（Ａ）は、暫定発光量決定部１１１の動作例を、図７の（Ｂ）は、比較部１１２および確定発光量決定部１１３の動作例をそれぞれ示している。 
【００７４】
図７の（Ａ）に示すように、暫定発光量決定部１１１は、ヒストグラムにおける輝度値「２５５」の位置を計数開始ポイントとし、各輝度値に対応する画素数を計数開始ポイントから低輝度側へ向かって順に計数していく。そして、暫定発光量決定部１１１は、累積画素数がＤＮＵＭに達した位置を算出ポイントとして定め、かかる算出ポイントの輝度値に対応する発光量を暫定発光量として決定する。 
【００７５】
例えば、暫定発光量決定部１１１は、累積画素数がＤＮＵＭに達した位置の輝度値が「２００」である場合には、「２００」を暫定発光量として決定する。
【００７６】
また、比較部１１２は、暫定発光量決定部１１１によって決定された暫定発光量とＨオフセットおよびＬオフセットとの比較を行い、比較結果を確定発光量決定部１１３へ渡す。そして、確定発光量決定部１１３は、図７の（Ｂ）に示すように、暫定発光量がＨオフセット以下である場合には、暫定発光量を確定発光量として決定する。
【００７７】
一方、確定発光量決定部１１３は、暫定発光量がＨオフセットを超える場合には、Ｈオフセットを確定発光量として決定し、暫定発光量がＬオフセット未満である場合には、Ｌオフセットを確定発光量として決定する。
【００７８】
ここで、例えば、ソース種別がＤＶＤ映像の映像ソースで、かつ昼夜情報が昼を示す情報である場合、パターン１が選択され、図４に示すように、ＤＮＵＭは「１００」、Ｈオフセットは「２１５」、Ｌオフセットは「１００」となる。
【００７９】
したがって、例えば、累積画素数がＤＮＵＭに達した位置の輝度値が「２２０」である場合には、暫定発光量が「２２０」となるため、確定発光量がＨオフセットの「２１５」となる。また、例えば、累積画素数がＤＮＵＭに達した位置の輝度値が「９５」である場合には、暫定発光量が「９５」となるため、確定発光量がＬオフセットの「１００」となる。
【００８０】
このように、暫定発光量がＨオフセットを超える場合には、暫定発光量よりも少ない発光量であるＨオフセットを確定発光量とすることによって、明るい映像が入力された場合であっても、バックライト２２の消費電力の削減量を極力多くすることができる。
【００８１】
また、Ｌオフセットが暫定発光量よりも多い場合には、暫定発光量よりも多いＬオフセットを確定発光量として決定する。これにより、画面が暗くなり過ぎることが防止されるため、画面の視認性を高めることができる。
【００８２】
上記制御から分かるように、ＤＮＵＭは小さければ小さいほど、Ｈオフセットは大きければ大きいほど、確定発光量が大きくなる傾向へ向かう。したがって、ＤＮＵＭを小さくし、Ｈオフセットを大きくすることで、バックライト２２の発光量の削減率が低下する。一方、ＤＮＵＭを大きくし、Ｈオフセットを小さくすることで、バックライト２２の発光量の削減率が増加する。
【００８３】
従って、例えば、図４に示すように、制御パラメータテーブル１２ａを構成することによって、ハレーションが発生しにくいナビ映像に対し、他の映像に比べてバックライトの発光量の削減率を増加させることができる。
【００８４】
すなわち、ＤＮＵＭやＨオフセットなどの制御パラメータを全ての映像に対して共通にした場合、ＤＶＤ映像やＴＶ映像などにハレーションが発生しないような制御パラメータとなるため、ナビ映像に対するバックライトの発光量をより効果的に削減することができない。
【００８５】
しかし、本実施例では、ソース種別に対応させて制御パラメータを適用することができるため、ナビ映像に対するバックライトの発光量をより効果的に削減することができる。特に、表示装置２０は、車載用であり、ナビ映像を表示する時間が長いため、消費電力の削減の効果が高い。
【００８６】
図３に戻り、制御部１１の説明を続ける。発光量規制部１１ｇは、バックライト２２の発光量の急激な変化によって生じる画面のちらつきを防止するため、発光量決定部１１ｆから取得した確定発光量と現在の発光量との差分に基づいて発光量の変化量を制限する発光量規制処理を行う。 
【００８７】
具体的には、発光量規制部１１ｇは、確定発光量と現在の発光量との差分が所定の閾値よりも大きい場合に、変化量の上限値として予め決められた値を現在の発光量に対して加算（あるいは減算）した値を、最終的な発光量とする。一方、確定発光量と現在の発光量との差分が所定の閾値未満の場合には、発光量規制部１１ｇは、確定発光量を最終的な発光量とする。発光量規制部１１ｇは、最終的な発光量（以下、「最終確定発光量」と記載する）を決定すると、この最終確定発光量をＰＷＭ生成部１１ｈへ渡す。 
【００８８】
また、発光量規制部１１ｇは、最終確定発光量を決定すると、ＲＧＢ変換情報１２ｂを用いて最終確定発光量に対応するＲＧＢ変換係数を決定し、決定したＲＧＢ変換係数をＲＧＢ変換部１１ｉへ渡す処理も行う。ここで、ＲＧＢ変換情報１２ｂの内容について説明する。図８は、ＲＧＢ変換情報１２ｂの一例を示す図である。 
【００８９】
図８に示すように、ＲＧＢ変換情報１２ｂは、「最終確定発光量」ごとに「ＲＧＢ変換係数」を対応付けた情報である。ここで、「最終確定発光量」は、発光量規制部１１ｇによって決定された最終確定発光量を示す。また、「ＲＧＢ変換係数」は、Ｒ，Ｇ，Ｂの各成分の値（ＲＧＢ値）に対して掛け合わせる係数である。 
【００９０】
例えば、最終確定発光量が「２５５（１００％）」である場合には、ＲＧＢ変換係数は「１．００」となる。これは、入力データのＲＧＢ値が、そのまま出力データのＲＧＢ値となることを示している。また、最終確定発光量が「２４０（９３．７５％）」である場合には、ＲＧＢ変換係数は「１．０３」となる。これは、入力データのＲＧＢ値を１．０３倍した値が出力データのＲＧＢ値となることを示している。 
【００９１】
このように、ＲＧＢ変換情報１２ｂでは、最終確定発光量が少なくなるほど、すなわち、バックライト２２の発光量が少なくなり画面が暗くなるほど、ＲＧＢ変換係数が高くなるように設定されている。なお、発光量規制部１１ｇは、最終確定発光量を決定すると、決定した最終確定発光量と対応付けられたＲＧＢ変換係数をＲＧＢ変換情報１２ｂから読み出し、読み出したＲＧＢ変換係数をＲＧＢ変換部１１ｉへ渡す。 
【００９２】
ＰＷＭ生成部１１ｈは、発光量規制部１１ｇから最終確定発光量を取得すると、バックライト２２の発光量が最終確定発光量となるようにパルス幅が調整されたＰＷＭ信号を生成してバックライト２２へ出力する処理部である。なお、ＰＷＭ生成部１１ｈは、ＶＳＹＮＣが１回出力されるごとに、ＰＷＭ信号を４回出力することとしている。 
【００９３】
ＲＧＢ変換部１１ｉは、映像情報取得部１１ａから取得した映像情報に含まれるＲ，Ｇ，Ｂの各成分の値に対して、発光量規制部１１ｇから取得したＲＧＢ変換係数を掛け合わせるＲＧＢ変換処理を行う。また、ＲＧＢ変換部１１ｉは、ＲＧＢ変換処理後の映像情報を表示パネル２１へ出力する処理も併せて行う。 
【００９４】
例えば、ＲＧＢ変換部１１ｉは、ＲＧＢ変換係数「１．２６」を取得した場合、映像情報取得部１１ａから取得した映像情報に含まれるＲ，Ｇ，Ｂの各成分の値を１．２６倍する。そして、ＲＧＢ変換部１１ｉは、Ｒ，Ｇ，Ｂの各成分の値を１．２６倍した映像情報を表示パネル２１へ出力する。
【００９５】
次に、本実施例に係る表示制御装置１０の具体的動作について説明する。図９は、本実施例に係る表示制御装置１０の処理手順を示すフローチャートである。なお、図９においては、表示制御装置１０が実行する処理手順のうち、制御パラメータの選択手順を主として示している。この処理手順は、映像情報出力装置３０から新たなソース種別の映像ソース情報を取得した場合や昼夜情報を取得した場合に開始される。
【００９６】
図９に示すように、表示制御装置１０では、発光量決定部１１ｆが、映像情報出力装置３０から映像ソース情報を取得すると、ソース種別がカメラ映像であるか否かを判定する（ステップＳ１０）。そして、発光量決定部１１ｆは、映像種別がカメラ映像でないと判定した場合（ステップＳ１０，Ｎｏ）、ソース種別がＴＶ映像であるか否かを判定する（ステップＳ１１）。
【００９７】
ソース種別がＴＶ映像でないと判定した場合（ステップＳ１１，Ｎｏ）、発光量決定部１１ｆは、ソース種別がＤＶＤ映像であるか否かを判定する（ステップＳ１２）。ソース種別がＤＶＤ映像でないと判定した場合（ステップＳ１２，Ｎｏ）、発光量決定部１１ｆは、ソース種別がナビ映像であるか否かを判定する（ステップＳ１３）。
【００９８】
ソース種別がナビ映像であると判定した場合（ステップＳ１３，Ｙｅｓ）、発光量決定部１１ｆは、映像情報出力装置３０から取得した昼夜情報が昼を示す情報であるか否かを判定する（ステップＳ１４）。
【００９９】
昼夜情報が昼を示す情報であると判定した場合（ステップＳ１４，Ｙｅｓ）、発光量決定部１１ｆは、記憶部１２に記憶されている制御パラメータテーブル１２ａから、パターン３の制御パラメータを読み出す（ステップＳ１５）。
【０１００】
一方、昼夜情報が昼を示す情報でないと判定した場合（ステップＳ１４，Ｎｏ）、発光量決定部１１ｆは、記憶部１２に記憶されている制御パラメータテーブル１２ａから、パターン４の制御パラメータを読み出す（ステップＳ１６）。
【０１０１】
ステップＳ１１において、ソース種別がＴＶ映像であると判定した場合（ステップＳ１１，Ｙｅｓ）、又は、ステップＳ１２において、ソース種別がＤＶＤ映像であると判定した場合（ステップＳ１２，Ｙｅｓ）、発光量決定部１１ｆは、映像情報出力装置３０から取得した昼夜情報が昼を示す情報であるか否かを判定する（ステップＳ１７）。
【０１０２】
昼夜情報が昼を示す情報であると判定した場合（ステップＳ１７，Ｙｅｓ）、発光量決定部１１ｆは、記憶部１２に記憶されている制御パラメータテーブル１２ａから、パターン１の制御パラメータを読み出す（ステップＳ１８）。
【０１０３】
一方、昼夜情報が昼を示す情報でないと判定した場合（ステップＳ１７，Ｎｏ）、発光量決定部１１ｆは、記憶部１２に記憶されている制御パラメータテーブル１２ａから、パターン２の制御パラメータを読み出す（ステップＳ１９）。
【０１０４】
ステップＳ１０において、ソース種別がカメラ映像であると判定した場合（ステップＳ１０，Ｙｅｓ）、発光量決定部１１ｆは、映像情報出力装置３０から取得した昼夜情報が昼を示す情報であるか否かを判定する（ステップＳ２０）。
【０１０５】
昼夜情報が昼を示す情報であると判定した場合（ステップＳ２０，Ｙｅｓ）、発光量決定部１１ｆは、記憶部１２に記憶されている制御パラメータテーブル１２ａから、パターン３の制御パラメータを読み出す（ステップＳ２１）。
【０１０６】
上述した制御パラメータの選択処理が終了した場合、すなわち、ステップＳ１５，Ｓ１６，Ｓ１８，Ｓ１９，Ｓ２１の処理が終了した場合、発光量決定部１１ｆは、読み出した制御パラメータ（ＤＮＵＭ、Ｈオフセット、Ｌオフセット）に基づいてバックライト２２の発光量（確定発光量）を決定する（ステップＳ２２）。その後、制御部１１は、決定したバックライト２２の発光量に基づいて、バックライト２２の制御を行うと共に、映像の輝度を調整する。
【０１０７】
また、ステップＳ２０において、昼夜情報が昼を示す情報ではないと判定した場合（ステップＳ２０，Ｎｏ）、制御部１１は、バックライト２２の発光量の決定を行うことなく、バックライト制御を停止する。
【０１０８】
すなわち、バックライト２２の発光量を１００％にする。これは、夜はカメラ映像が暗いため、バックライト制御を行うと、映像品質が悪くなって、視認性が低下するためである。なお、発光量決定部１１ｆは、確定発光量を「２５５」に固定することによって、バックライト制御を停止する。確定発光量を「２５５」に固定する方法として、例えば、Ｈオフセットを「２５５」に設定する方法がある。
【０１０９】
なお、ソース種別がナビ映像ではないと判定した場合（ステップＳ１３，Ｎｏ）、発光量決定部１１ｆは、処理を終了する。
【０１１０】
以上のように、本実施例に係る表示制御装置１０では、表示パネル２１に表示させる映像のソース種別に応じた制御パラメータを記憶部１２から読み出し、当該読み出した制御パラメータに基づいて、映像の輝度に応じたバックライト２２の発光量を決定する発光量決定部１１ｆを備えており、ソース種別に応じてバックライト２２の消費電力を適切に削減することができる。
【０１１１】
また、本実施例に係る表示制御装置１０では、表示パネル２１に表示させる映像のソース種別に加えて昼か夜かによって制御パラメータを変更するようにしている。そのため、例えば、夜の場合に、表示パネル２１に表示する映像のまぶしさを抑えて映像を見やすくすることができ、昼の場合には、表示パネル２１に表示する映像を明るくすることができる。
【０１１２】
なお、本実施例では、映像を構成する画素の輝度や色などの分布が単純であることに着目して、バックライト２２の発光量がより効果的に削減することができるような制御パラメータを設定する例を示したが、これに限られるものではない。
【０１１３】
すなわち、映像の種別毎の特徴に基づいて映像種別に応じた制御パラメータを設定するものであれば、どのようなものであってもよい。例えば、輝度が高い映像が比較的多い映像ソースと、輝度が低い映像が比較的多い映像ソースとで異なる制御パラメータを設定するようにしてもよい。
【０１１４】
また、本実施例では、発光量決定部１１ｆは、昼夜情報が夜でかつソース種別がカメラ映像の場合には、バックライト制御を停止するようにしたが、例えば、昼夜情報が夜でかつＤＶＤ映像やＴＶ映像の場合にバックライト制御を停止するようにしてもよい。
【０１１５】
また、本実施例では、ソース種別と昼夜情報に応じて制御パラメータを設定することとしたが、さらに、図示しない車載装置（例えば、カーナビゲーション装置）の消費電力や車載装置へ供給されるバッテリー電圧などに応じて、制御パラメータを変更するようにしてもよい。
【０１１６】
例えば、ソース種別および昼夜情報に加え、さらに、車載装置の消費電力に応じた制御パラメータを含む制御パラメータテーブルを記憶部１２に記憶させておく。そして、発光量決定部１１ｆは、ソース種別および昼夜情報に加え、さらに、車載装置の消費電力に応じてバックライト２２の発光量を決定する。
【０１１７】
また、フロントカメラ、バックカメラなどのように車載カメラが複数ある場合には、それぞれのカメラ毎に制御パラメータを変更するようにしてもよい。
【産業上の利用可能性】
【０１１８】
以上のように、本発明に係る表示制御装置および表示制御方法は、バックライトの消費電力の削減量を多くしたい場合に有用であり、例えば、車載装置の液晶ディスプレイの消費電力を抑えたい場合に適している。
【符号の説明】
【０１１９】
１０  表示制御装置
１１  制御部
１１ａ  映像情報取得部
１１ｂ  ソース種別情報取得部
１１ｃ  昼夜情報取得部
１１ｄ  サブサンプリング部
１１ｅ  ヒストグラム生成部
１１ｆ  発光量決定部
１１ｇ  発光量規制部
１１ｈ  ＰＷＭ生成部
１１ｉ  ＲＧＢ変換部
１２  記憶部
１２ａ  制御パラメータテーブル
１２ｂ  ＲＧＢ変換情報
２０  表示装置
３０  映像情報出力装置
【図１】
0005828648.tif 000002
【図２】
0005828648.tif 000003
【図３】
0005828648.tif 000004
【図４】
0005828648.tif 000005
【図５】
0005828648.tif 000006
【図６】
0005828648.tif 000007
【図７】
0005828648.tif 000008
【図８】
0005828648.tif 000009
【図９】
0005828648.tif 000010